(57)【要約】【課題】簡易な構成によって安全に効率よく溶接ヒュームを回収できるヒューム回収装置を提供する。【解決手段】溶接トーチ２と、溶接トーチ２に隣接して一体に設置されるヒューム遮蔽手段３と、溶接トーチ２に隣接して一体に設置されるヒューム回収手段４と、を備える、ヒューム回収装置１である。ヒューム回収手段４は、溶接トーチ２の周囲に配置されてヒュームを回収するヒューム回収口４１と、ヒューム回収口４１に接続される吸気ホース４２と、から構成され、溶接トーチ２の周囲に存在するヒュームを回収するようになっている。また、ヒューム遮蔽手段３は、溶接トーチ２の周囲に配置されてエアを噴出するエア噴出口３１と、エア噴出口３１に接続される送気ホース３２と、から構成され、溶接トーチ２の周囲にエアカーテンが形成されるようになっている。【選択図】図１
0003234754.tif 000002
【実用新案登録請求の範囲】
【請求項１】
溶接トーチと、
前記溶接トーチに隣接して一体に設置されるヒューム遮蔽手段と、
前記溶接トーチに隣接して一体に設置されるヒューム回収手段と、
を備える、ヒューム回収装置。
【請求項２】
前記ヒューム回収手段は、前記溶接トーチの周囲に配置されてヒュームを回収するヒューム回収口と、前記ヒューム回収口に接続される吸気ホースと、から構成され、前記溶接トーチの周囲に存在するヒュームを回収するようになっている、請求項１に記載された、ヒューム回収装置。
【請求項３】
前記ヒューム遮蔽手段は、前記溶接トーチの周囲に配置されてエアを噴出するエア噴出口と、前記エア噴出口に接続される送気ホースと、から構成され、前記溶接トーチの周囲にエアカーテンが形成されるようになっている、請求項２に記載された、ヒューム回収装置。
【請求項４】
前記ヒューム遮蔽手段の前記エア噴出口は、前記溶接トーチからみて前記ヒューム回収手段の前記ヒューム回収口よりも外側に配置されている、請求項３に記載された、ヒューム回収装置。
【請求項５】
前記ヒューム遮蔽手段の前記エア噴出口からの送気流量と、前記ヒューム回収手段の前記ヒューム回収口からの吸気流量と、は調整できるようにされている、請求項３又は請求項４に記載された、ヒューム回収装置。
【考案の詳細な説明】
【技術分野】
【０００１】
本考案は、溶接作業をする際に生じる溶接ヒュームを回収するヒューム回収装置に関するものである。
【背景技術】
【０００２】
一般に、溶接作業をする際には、溶接ヒュームが出ることが知られている。溶接ヒュームは金属が解ける際に発生するヒュームで非常に健康に悪く、令和３年から金属アーク溶接等作業について健康障害防止措置が義務づけられた。従来は、全体排気や局所排気及び防塵マスクをつけて防止する方法がとられていた。
【０００３】
そこで、従来の回収装置は、溶接トーチの近くにヒューム回収口（ラッパ形状）を配置して、ヒュームを吸引するように構成されている（図４を参照のこと）。さらに、特許文献１には、吸引ノズルをトーチノズルと同軸上に配置するように構成したノズル装置が開示されている。
【先行技術文献】
【特許文献】
【０００４】
【特許文献１】特開平１１−２９１０４６号公報
【考案の概要】
【考案が解決しようとする課題】
【０００５】
しかしながら、特許文献１を含む従来の回収装置は、ヒュームを効率よく回収することが難しく、ヒュームの３０％ほどしか回収できないのが現状である。あるいは、ヒュームを完全に回収するためには、作業上全体にフードをかけて回収する必要がある。さらに、作業者はマスクを装着することが必須であり、ヒュームから人体を守る必要がある。
【０００６】
そこで、本考案は、簡易な構成によって安全に効率よくヒュームを回収できる、ヒューム回収装置を提供することを目的としている。
【課題を解決するための手段】
【０００７】
前記目的を達成するために、本考案のヒューム回収装置は、溶接トーチと、前記溶接トーチに隣接して一体に設置されるヒューム遮蔽手段と、前記溶接トーチに隣接して一体に設置されるヒューム回収手段と、を備えている。
【考案の効果】
【０００８】
このように、本考案のヒューム回収装置は、溶接トーチと、溶接トーチに隣接して一体に設置されるヒューム遮蔽手段と、溶接トーチに隣接して一体に設置されるヒューム回収手段と、を備えている。したがって、ヒューム遮蔽手段によって溶接ヒュームの飛散を防止しつつ、ヒューム回収手段によって溶接ヒュームを回収することができる。したがって、簡易な構成によって安全に効率よくヒュームを回収できる、ヒューム回収装置となる。
【図面の簡単な説明】
【０００９】
【図１】ヒューム回収装置の全体構成を説明する側面図である。
【図２】溶接トーチ近傍を垂直面で切断して側方から見た断面図である。
【図３】溶接トーチ近傍を下方から見た平面図である。
【図４】従来のヒューム回収手法の説明図である。
【考案を実施するための形態】
【００１０】
以下、本考案の実施の形態について図面を参照して説明する。ただし、以下の実施例に記載されている構成要素は例示であり、本考案の技術範囲をそれらのみに限定する趣旨のものではない。
【実施例】
【００１１】
（構成）
まず、図１を用いて本考案のヒューム回収装置１の全体構成を説明する。ヒューム回収装置１は、溶接トーチ２と、溶接トーチ２に隣接して一体に設置されるヒューム遮蔽手段３と、溶接トーチ２に隣接して一体に設置されるヒューム回収手段４と、を備えている。以下に説明するように、本実施例のヒューム回収装置１は、溶接トーチ２の周囲にエアカーテンを構築し、発生する溶接ヒュームを外部から遮蔽し、溶接ヒュームをヒューム回収手段４によって回収して集塵機において濾過するようになっている。
【００１２】
より具体的に言うと、後述するように、本実施例の溶接トーチ２のノズルには、ヒューム遮蔽手段３とヒューム回収手段４を有する円盤形（短円柱形）のヒューム回収ユニット５が取り付けられている。
【００１３】
溶接トーチ２は、ハンドル、フレキ管、及び、ノズル等から構成される半自動溶接機のトーチであり、金属アーク溶接等において使用される。そして、金属アーク溶接等で発生する「溶接ヒューム」は、今般、含まれる化学物質について労働者への健康障害のリスクが高いと認められたため、粉じん対策に加えて特定化学物質に追加された。
【００１４】
ここで「溶接ヒューム」とは、金属アーク溶接等作業において加熱により発生する粒子状物質のことである。すなわち、アーク溶接の際には、母材および溶接ワイヤが高温によって気化して凝集することにより「溶接ヒューム」と呼ばれる浮遊微粒子が発生する。一般に、溶接ヒューム粒子の大きさは０．１ミクロンから数ミクロン程度である。溶接ヒュームを長期間にわたって吸い込み続けると、肺の中に密積して溶接工肺となることが知られている。
【００１５】
ヒューム遮蔽手段３は、溶接トーチ２の周囲に配置されてエアを噴出するエア噴出口３１と、エア噴出口３１に接続される送気ホース３２と、から構成されており、溶接トーチ２の周囲にエアカーテンが形成されるようになっている。
【００１６】
具体的に言うと、エア噴出口３１は、溶接トーチ２のノズルに取り付けられた円板形（短円柱形）のヒューム回収ユニット５の本体５０の側面下部にスリット状に形成される隙間（開口部）である。エア噴出口３１は、斜め下向き（溶接部より外向き）に形成されるため、溶接部に直接にエアが噴出されることはない。
【００１７】
ヒューム回収手段４は、溶接トーチ２の周囲に配置されてヒュームを回収するヒューム回収口４１と、ヒューム回収口４１に接続される吸気ホース４２と、から構成されており、溶接トーチ２の周囲に存在するヒュームを回収するようになっている
【００１８】
具体的に言うと、ヒューム回収口４１は、溶接トーチ２のノズルに取り付けられた円板形（短円柱形）のヒューム回収ユニット５の本体５０の下面に複数の（図３では６つの）円形に形成される開口部（円孔）である。ヒューム回収口４１は、溶接トーチ２のノズルの周囲に下向き（溶接部の近傍向き）に開口されるため、溶接部から直接にヒュームを回収する。
【００１９】
このように、ヒューム遮蔽手段３のエア噴出口３１は、溶接トーチ２からみてヒューム回収手段４のヒューム回収口４１よりも外側に配置されている。すなわち、ヒューム回収口４１は、ヒューム遮蔽手段３によって構築されたエアカーテンの内部空間のヒュームを含む空気を吸い込むようになっている。
【００２０】
そして、ヒューム遮蔽手段３のエア噴出口３１からの送気流量と、ヒューム回収手段４のヒューム回収口４１からの吸気流量と、は互いにバランスをとって調整できるようにされている。
【００２１】
（作用・効果）
次に、本実施例のヒューム回収装置１の奏する作用・効果について説明する。
【００２２】
（１）上述してきたように、本実施例のヒューム回収装置１は、溶接トーチ２と、溶接トーチ２に隣接して一体に設置されるヒューム遮蔽手段３と、溶接トーチ２に隣接して一体に設置されるヒューム回収手段４と、を備えている。したがって、ヒューム遮蔽手段３によって溶接ヒュームの飛散を防止しつつ、ヒューム回収手段４によって溶接ヒュームを回収することができる。したがって、簡易な構成によって安全に効率よくヒュームを回収できる、ヒューム回収装置１となる。
【００２３】
特に、従来は溶接トーチ２の先端にラッパ上の回収口を取り付ける方法もあったが、ラッパ状の回収口が溶接トーチの近くにあるため溶接部は非常に見にくく作業性が悪かった。これに対して、本実施例のフーム回収装置１であれば、エアカーテンを使用するため、溶接部を十分に見ることができ、作業性が非常に良好である。
【００２４】
さらに、本実施例で説明したヒューム回収ユニット５は、溶接トーチ２に直接取付できるようにコンパクトに設計されているため、作業場所が変わっても１００％ヒュームを回収することが出来る。
【００２５】
（２）また、ヒューム回収手段４は、溶接トーチ２の周囲に配置されてヒュームを回収するヒューム回収口４１と、ヒューム回収口４１に接続される吸気ホース４２と、から構成され、溶接トーチ２の周囲に存在するヒュームを回収するようになっている。このため、溶接部の近傍のヒュームを直接に回収できる。
【００２６】
（３）さらに、ヒューム遮蔽手段３は、溶接トーチ２の周囲に配置されてエアを噴出するエア噴出口３１と、エア噴出口３１に接続される送気ホース３２と、から構成され、溶接トーチ２の周囲にエアカーテンが形成されるようになっている。このため、溶接部の周囲にエアカーテンを構築して、ヒュームの飛散を防止できる。なお、エアの噴出される角度は、ワークに反射して溶接部の方向にいかないような角度に設計されることが好ましい。
【００２７】
（４）また、ヒューム遮蔽手段３のエア噴出口３１は、溶接トーチ２からみてヒューム回収手段４のヒューム回収口４１よりも外側に配置されているため、ヒューム遮蔽手段３によって構築された遮蔽部（エアカーテン）の内部においてヒュームを回収できるため、回収効率がきわめて高い。
【００２８】
（５）さらに、ヒューム遮蔽手段３のエア噴出口３１からの送気流量と、ヒューム回収手段４のヒューム回収口４１からの吸気流量と、は調整できるようにされているため、多様な条件下においてヒューム回収装置１を使用することができる。
【００２９】
以上、図面を参照して、本考案の実施例を詳述してきたが、具体的な構成は、この実施例に限らず、本考案の要旨を逸脱しない程度の設計的変更は、本考案に含まれる。
【００３０】
例えば、実施例では、ヒューム回収ユニット５を半自動溶接機のトーチに取り付ける場合について説明したが、これに限定されるものではなく、ヒューム回収ユニット５は、ロボット搭載の溶接トーチにも取り付けられる構造とし、溶接ＯＮと連動して回収機能が作動するシステムとすることもできる。
【符号の説明】
【００３１】
１          ヒューム回収装置
２          溶接トーチ
３          ヒューム遮蔽手段
３１        エア噴出口
３２        送気ホース
４          ヒューム回収手段
４１        ヒューム回収口
４２        吸気ホース
５          ヒューム回収ユニット
５０        本体
【図１】
0003234754.tif 000003
【図２】
0003234754.tif 000004
【図３】
0003234754.tif 000005
【図４】
0003234754.tif 000006